(57)【要約】【課題】  薄型に構成でき、キートップの動作ストロークを確保して操作感触を良好にできるキースイッチとキーボード装置を提供する。【解決手段】  キートップ１１が２つのリンクバー２１，２２で支持される。リンクバー２１，２２は、連結軸部２１ａ，２２ａがキートップ１１の下面に回動自在に連結される。リンクバー２１の２つの支持軸部２１ｂ，２１ｂとリンクバー２２の２つの支持軸部２２ｂ，２２ｂは、キートップ１１の平面での投影領域の外側に位置してカバーの軸受け溝に回動自在に支持されている。支持軸部２１ｂ，２２ｂを投影領域の外側に配置することで、薄型に構成したときに、下降動作キートップと支持軸部２１ｂ，２２ｂとが干渉しなくなる。【選択図】図３
2015201424.tif 000002
【特許請求の範囲】
【請求項１】
支持基板と、支持機構を介して昇降自在に支持されたキートップと、前記キートップによって動作させられるスイッチ入力部と、を有するキースイッチにおいて、
前記支持機構は、互いに独立して動作する一対のリンクバーを有し、それぞれの前記リンクバーは、連結軸部とその両端部に位置する２つの支持軸部とを有し、連結軸部の中心を通る連結中心線と、２つの支持軸部の中心を通る支持中心線とが、間隔を空けて平行に延びており、
一方の前記リンクバーの連結中心線と、他方の前記リンクバーの連結中心線とが互いに平行に配置されて、それぞれの前記リンクバーは、前記連結軸部が前記キートップに回動自在に連結され、前記支持軸部が、前記キートップを平面で投影した投影領域の外側で回動自在に支持されていることを特徴とするキースイッチ。
【請求項２】
前記連結中心線が延びる方向を横方向（Ｘ方向）、２つの前記リンクバーが対向する方向を縦方向（Ｙ方向）としたときに、
少なくとも一方の前記リンクバーの前記支持軸部は、前記投影領域の縦方向の範囲内において、横方向の両側に延び出ている請求項１記載のキースイッチ。
【請求項３】
一方の前記リンクバーの前記支持中心線と他方の前記リンクバーの前記支持中心線は、それぞれの前記連結中心線に対して縦方向の同じ側に離れた位置に設けられている請求項２記載のキースイッチ。
【請求項４】
一方の前記リンクバーの前記支持中心線と他方の前記リンクバーの前記支持中心線は、それぞれの前記連結中心線に対して縦方向へ互いに逆側に離れた位置に設けられている請求項２記載のキースイッチ。
【請求項５】
一方の前記リンクバーの前記支持中心線と他方の前記リンクバーの前記支持中心線は、それぞれの前記連結中心線に対して縦方向へ互いに接近する位置に設けられている請求項２記載のキースイッチ。
【請求項６】
少なくとも一方の前記リンクバーは、前記支持軸部が縦方向へ移動できるように支持されている請求項４または５記載のキースイッチ。
【請求項７】
少なくとも一方の前記リンクバーは、前記連結軸部が前記キートップに対して縦方向へ移動できるように支持されている請求項４または５記載のキースイッチ。
【請求項８】
前記キートップには、前記スイッチ入力部を押圧するスイッチ押圧部が設けられており、前記スイッチ押圧部が、一方の前記リンクバーの前記連結軸部と他方の前記リンクバーの前記連結軸部との中間に位置している請求項１ないし７のいずれかに記載のキースイッチ。
【請求項９】
前記連結中心線が前記支持中心線よりも前記支持基板に接近する位置まで、前記キートップが前記基板に向けて下降できるように支持されている請求項１ないし８のいずれかに記載のキースイッチ。
【請求項１０】
前記支持基板の上に前記スイッチ入力部を有するスイッチシートが重ねられており、前記スイッチシートには、それぞれの前記リンクバーが対向する開口部が形成されている請求項９記載のキースイッチ。
【請求項１１】
前記キートップに前記連結軸部を保持する連結突起が設けられ、前記スイッチシートに前記連結突起に対向する開口部が形成されている請求項１０記載のキースイッチ。
【請求項１２】
前記基板の上方に対向するカバーが設けられて、前記カバーに形成された開口部に前記キートップが配置されており、それぞれの前記リンクバーの前記支持軸部が、前記カバーに形成された軸受け溝の内部で回動自在に支持されている請求項１ないし１１のいずれかに記載のキースイッチ。
【請求項１３】
前記キートップは長方形であり、第１のリンクバーが、長方形の一方の長辺に沿って複数個設けられ、第２のリンクバーが他方の長辺に沿って１個設けられており、前記第２のリンクバーの前記支持軸が、前記投影領域の縦方向の範囲内において、横方向の両側に延び出ている請求項１ないし１２のいずれかに記載のキースイッチ。
【請求項１４】
請求項１ないし１２のいずれかに記載の複数のキースイッチと、請求項１３に記載のキースイッチとが、共通の前記支持基板上に配置されていることを特徴とするキーボード装置。
【発明の詳細な説明】
【技術分野】
【０００１】
本発明は、薄型に構成することを可能にしたキースイッチおよび前記キースイッチを備えたキーボード装置に関する。
【背景技術】
【０００２】
キーボード装置に設けられるキースイッチは、キートップが支持機構で昇降自在に支持されており、キートップが押されるとその下に位置するスイッチ入力部の接点どうしが接触する。
【０００３】
従来のキースイッチでは、前記支持機構として中央部が互いに連結されてＸ状に構成されたリンク機構が使用されている。このリンク機構を使用することで、キートップは水平姿勢を維持したまま下降できるようになる。しかし、前記リンク機構は、キートップの下側にリンクの連結点が位置するため、キートップの下側に昇降方向への広いスペースが必要となって、キースイッチを薄型に構成するのが困難である。
【０００４】
以下の特許文献１に記載されたキーボードスイッチは、２つの独立したリンクシャフトによってキートップが昇降自在に支持されている。特許文献１に記載されたキーボードスイッチは、リンクの連結点を無くすことで、薄型に構成でき且つ組み立てを容易にできる、というものである。
【先行技術文献】
【特許文献】
【０００５】
【特許文献１】特開平８−１２４４５６号公報
【発明の概要】
【発明が解決しようとする課題】
【０００６】
特許文献１に記載されたキーボードスイッチは以下の課題を有している。
（１）２つのリンクシャフトの側辺部は、樹脂フレームに形成されたヒンジ突起に回動自在に支持されている。しかし、４箇所設けられる前記ヒンジ突起がキートップの真下に位置しているため、キートップが下降したときに、前記ヒンジ突起が、樹脂フレームとキートップの間に挟まれることになる。したがって、薄型化に構成して且つキートップの下降ストロークを長く確保することが難しい。
【０００７】
（２）２つのリンクシャフトの中辺部が、それぞれキートップの下面に設けられた挟持片に回動自在に支持されているが、一方のリンクシャフトを支持している挟持片と、他方のリンクシャフトを支持している挟持片が、キートップの中心部よりも一方の側に偏って配置されている。クリックラバーからキートップに作用する上向きの反力が、キートップの中央部に作用するのに対し、キートップと２つのリンクシャフトとの２箇所の連結部が、反力の作用箇所に対して一方の側に偏って配置されている。そのため、キートップを押し下げたときに、キートップを常に傾けようとする力が作用することになり、操作感触を良好にすることが困難である。
【０００８】
本発明は上記従来の課題を解決するものであり、薄型に構成しやすく、しかもキートップの下降ストロークを確保できるキースイッチおよび前記キースイッチを備えたキーボード装置を提供することを目的としている。
【課題を解決するための手段】
【０００９】
本発明は、支持基板と、支持機構を介して昇降自在に支持されたキートップと、前記キートップによって動作させられるスイッチ入力部と、を有するキースイッチにおいて、
前記支持機構は、互いに独立して動作する一対のリンクバーを有し、それぞれの前記リンクバーは、連結軸部とその両端部に位置する２つの支持軸部とを有し、連結軸部の中心を通る連結中心線と、２つの支持軸部の中心を通る支持中心線とが、間隔を空けて平行に延びており、
一方の前記リンクバーの連結中心線と、他方の前記リンクバーの連結中心線とが互いに平行に配置されて、それぞれの前記リンクバーは、前記連結軸部が前記キートップに回動自在に連結され、前記支持軸部が、前記キートップを平面で投影した投影領域の外側で回動自在に支持されていることを特徴とするものである。
【００１０】
本発明のキースイッチは、前記連結中心線が延びる方向を横方向（Ｘ方向）、２つの前記リンクバーが対向する方向を縦方向（Ｙ方向）としたときに、
少なくとも一方の前記リンクバーの前記支持軸部は、前記投影領域の縦方向の範囲内において、横方向の両側に延び出ていることが好ましい。
【００１１】
本発明のキースイッチは、２つのリンクバーの支持軸部が、キートップの投影領域の外側で回動自在に支持されているため、キートップが下降したときに、キートップと支持軸部とが干渉しなくなり、薄型の構造であっても、キートップの下降ストロークを十分に確保できる。
【００１２】
本発明のキースイッチは、一方の前記リンクバーの前記支持中心線と他方の前記リンクバーの前記支持中心線が、それぞれの前記連結中心線に対して縦方向の同じ側に離れた位置に設けられているものである。
【００１３】
上記キースイッチは、キートップを押圧したときに、キートップの全体をほぼ水平姿勢を支持したまま下降させることが可能となる。
【００１４】
本発明のキースイッチは、一方の前記リンクバーの前記支持中心線と他方の前記リンクバーの前記支持中心線が、それぞれの前記連結中心線に対して縦方向へ互いに逆側に離れた位置に設けられているものである。
【００１５】
あるいは、一方の前記リンクバーの前記支持中心線と他方の前記リンクバーの前記支持中心線は、それぞれの前記連結中心線に対して縦方向へ互いに接近する位置に設けられている。
【００１６】
この場合に、少なくとも一方の前記リンクバーは、前記支持軸部が縦方向へ移動できるように支持されている。あるいは、少なくとも一方の前記リンクバーは、前記連結軸部が前記キートップに対して縦方向へ移動できるように支持されている。
【００１７】
上記構成のキースイッチは、キートップを押圧したときに、キートップが傾くようにして下降できるようになる。
【００１８】
本発明のキースイッチは、前記キートップには、前記スイッチ入力部を押圧するスイッチ押圧部が設けられており、前記スイッチ押圧部が、一方の前記リンクバーの前記連結軸部と他方の前記リンクバーの前記連結軸部との中間に位置していることが好ましい。
【００１９】
本発明のキースイッチは、キートップとリンクバーとの連結部が、キートップに対する反力の作用箇所の両側に位置している。そのため、キートップを押し下げたときにキートップを傾かせる力が作用しにくくなり、キートップが安定した姿勢で下降できるようになる。
【００２０】
本発明は、前記連結中心線が前記支持中心線よりも前記支持基板に接近する位置まで、前記キートップが前記基板に向けて下降できるように支持されていることが好ましい。
【００２１】
上記構成では、薄型の構成であっても、キートップの下降ストロークを十分に確保できるようになる。
【００２２】
本発明は、前記支持基板の上に前記スイッチ入力部を有するスイッチシートが重ねられており、前記スイッチシートには、それぞれの前記リンクバーが対向する開口部が形成されていることが好ましい。また、前記キートップに前記連結軸部を保持する連結突起が設けられ、前記スイッチシートに前記連結突起に対向する開口部が形成されていることが好ましい。
【００２３】
上記開口部を形成することで、キートップの下降ストロークを長く確保できるようになる。
【００２４】
本発明のキースイッチは、前記基板の上方に対向するカバーが設けられて、前記カバーに形成された開口部に前記キートップが配置されており、それぞれの前記リンクバーの前記支持軸部が、前記カバーに形成された軸受け溝の内部で回動自在に支持されていることが好ましい。
【００２５】
上記構成では、リンクバーの支持軸部を回動自在に支持する軸受け部を、カバーの肉厚の範囲内に配置できるため、キースイッチの薄型を実現しやすくなる。
【００２６】
本発明のキースイッチは、前記キートップは長方形であり、第１のリンクバーが、長方形の一方の長辺に沿って複数個設けられ、第２のリンクバーが他方の長辺に沿って１個設けられており、前記第２のリンクバーの前記支持軸が、前記投影領域の縦方向の範囲内において、横方向の両側に延び出ているものとして構成できる。
【００２７】
上記のように、第１のリンクバーを複数設けることで、長方形のキートップであっても支持を安定させることができる。また、第２のリンクバーを１個設け、第２のリンクバーの連結軸部をキートップの長辺に沿って配置することで、長方形のキートップのどの位置を押しても均一な操作感触を得ることができるようになる。
【００２８】
本発明のキーボード装置は、複数の前記キースイッチが、共通の前記支持基板上に配置されていることを特徴とするものである。
【発明の効果】
【００２９】
本発明は、キースイッチを薄型に構成でき、しかもキートップの下降ストロークを十分に確保できる。また、キートップを安定した姿勢で、または軽い押圧力で下降させることができるようになる、操作感触も良好である。
【図面の簡単な説明】
【００３０】
【図１】本発明の実施の形態のキーボード装置を示す部分平面図、
【図２】キーボード装置に搭載されている第１のキースイッチの分解斜視図、
【図３】第１のキースイッチが組み立てられた状態を、カバーを除去して示す平面図、
【図４】第１のキースイッチのカバーにキートップが装着された状態を、カバーの下面を上向きにして示した斜視図、
【図５】図３のＡ−Ａ線で切断した第１のキースイッチの断面図で、押圧力を与えていない状態を示す、
【図６】図３のＡ−Ａ線で切断した第１のキースイッチの断面図で、キートップの中央部が押圧された状態を示す、
【図７】図３のＡ−Ａ線で切断した第１のキースイッチの断面図で、キートップの手前側が押圧された状態を示す、
【図８】第２のキースイッチを、カバーを除去して示す平面図、
【図９】第１のキースイッチの第２の実施の形態を示すものであり、カバーを除去して示す平面図、
【図１０】図９のＢ−Ｂ線で切断した第１のキースイッチの断面図で、押圧
【図１１】図９のＢ−Ｂ線で切断した第１のキースイッチの断面図で、キートップの手前側が押圧された状態を示す、
【図１２】第１のキースイッチの第３の実施の形態を示すものであり、カバーを除去して示す平面図、
【図１３】第２のキースイッチの第２の実施の形態を示すものであり、カバーを除去して示す平面図、
【発明を実施するための形態】
【００３１】
図１には、パーソナルコンピュータに装備されるキーボード装置１の一部が平面図で示されている。キーボード装置１は、パーソナルコンピュータのみならず、各種情報端末装置の入力部、あるいは、ゲーム装置や家庭用電気製品の入力部に使用することが可能である。
【００３２】
図１には、キーボード装置１を構成する第１のキースイッチ１０と第２のキースイッチ４０が現れている。キーボード装置１と第１のキースイッチ１０ならびに第２のキースイッチ４０は、Ｘ方向が横方向であり、Ｘ１方向が右方向でＸ２方向が左方向である。Ｙ方向は縦方向であり、Ｙ１方向が奥側でＹ２方向が手前側である。またＺ１方向が上方向でＺ２方向が下方向である。
【００３３】
パーソナルコンピュータ用のキーボード装置１では、第１のキースイッチ１０が文字や記号の入力などに使用され、横方向（Ｘ方向）と縦方向（Ｙ方向）に一定のピッチで配列している。第２のキースイッチ４０は、第１のキースイッチ１０よりも横方向（Ｘ方向）の寸法が長く、文字間のスペースの入力などに使用される。
【００３４】
図２と図３ならびに図５に示すように、キーボード装置１には、支持基板２が設けられている。支持基板２は金属板または合成樹脂板である。支持基板２は、キーボード装置１の全体に設けられ、複数の第１のキースイッチ１０と第２のキースイッチ４０は、共通の支持基板２上に配置されている。
【００３５】
支持基板２の上にスイッチシート３が設置されている。スイッチシート３は、キーボード装置１の全体に設けられている。スイッチシート３には複数のスイッチ入力部４が形成されている。それぞれのスイッチ入力部４は、第１のキースイッチ１０と第２のキースイッチ４０に下に配置されている。
【００３６】
図５に示すように、スイッチシート３は、下部シート３ａとスペーサシート３ｃと上部シート３ｂとが順番に貼り合わされて構成されている。スイッチ入力部４では、スペーサシート３ｃが円形に除去されており、下部シート３ａと上部シート３ｂとの間に密閉されたスイッチ空間４ａが形成されている。スイッチ空間４ａでは、下部シート３ａの内面に下部接点が上部シート３ｂの内面に上部接点が形成されている。上部シート３ｂは軟質で可撓性であり、上部シート３ｂが下向きに押されると、上部接点が下部接点に接触する。
【００３７】
図５に示すように、それぞれのスイッチ入力部４の上に、付勢部材としてドーム状板ばね５が設置されている。ドーム状板ばね５は、薄い板ばね材料で上方が突側となるようにプレス成形されたものである。ドーム状板ばね５は裾部５ａがスイッチシート３の表面に設置される。頂部の内面には突部５ｂが一体に形成されており、突部５ｂがスイッチ入力部４の上に対向している。
【００３８】
複数のドーム状板ばね５は、薄い合成樹脂シートで形成された支持シートの下面に接着剤で固定されている。複数のドーム状板ばね５を備えた支持シートがスイッチシート３の表面に接着され、それぞれのスイッチ入力部４の上にドーム状板ばね５が設置される。図５ないし図６では、図の複雑化を避けるために前記樹脂シートの図示が省略されている。
【００３９】
図５に示すように、スイッチシート３の上にカバー６が重ねられ、支持基板２とカバー６とが、スイッチシート３を挟んだ状態で、ねじ止めなどの固定手段で互いに固定されている。
【００４０】
カバー６は合成樹脂材料で形成されている。図１に示すように、カバー６には、複数の第１の開口部７が規則的に配列して開口している。第１の開口部７はほぼ正方形であり、内部に第１のキースイッチ１０を構成する部品が収納されている。カバー６には、横方向（Ｘ方向）に長辺が向けられた長方形の第２の開口部８が形成されている。第２のキースイッチ４０を構成する部品は、第２の開口部８の内部に収納されている。
【００４１】
図２ないし図７に、第１のキースイッチ１０の構造が示されている。
第１のキースイッチ１０はキートップ１１を有している。キーボード装置１は薄型であり、キートップ１１も薄型である。キートップ１１は合成樹脂材料製であり、ほぼ正方形である。図２に示すように、キートップ１１の上面は操作面１１ａである。図４に示すように、キートップ１１の下面はリンク連結面１１ｂとなっている。キートップ１１は、横方向（Ｘ方向）に向く側壁部１２ａ，１２ｂと、縦方向（Ｙ方向）に向く側壁部１２ｃ，１２ｄを有している。図４に示すように、各側壁部１２ａ，１２ｂ，１２ｃ，１２ｄは、リンク連結面１１ｂよりも下方向（Ｚ２方向）へわずかに突出して形成されている。
【００４２】
図５に示すように、キートップ１１の下面であるリンク連結面１１ｂには、Ｙ１側に第１の連結部１３が設けられ、Ｙ２側に第２の連結部１４が設けられている。第１の連結部１３は、外側連結突起１３ａと内側連結突起１３ｂとで構成されている。外側連結突起１３ａと内側連結突起１３ｂは、リンク連結面１１ｂから下方向（Ｚ２方向）に向けて一体に突出して形成されている。図４に示すように、外側連結突起１３ａは、横方向（Ｘ方向）に間隔を空けて一対設けられている。内側連結突起１３ｂは、横方向に間隔を空けて一対設けられているが、その配置間隔は、外側連結突起１３ａのＸ方向の配置間隔よりも狭く設定されている。
【００４３】
第２の連結部１４は、外側連結突起１４ａと内側連結突起１４ｂとで構成されている。外側連結突起１４ａと内側連結突起１４ｂは、リンク連結面１１ｂから下方向（Ｚ２方向）に向けて一体に突出して形成されている。図４に示すように、外側連結突起１４ａは、横方向（Ｘ方向）に間隔を空けて一対設けられている。内側連結突起１４ｂは、横方向に間隔を空けて一対設けられているが、その配置間隔は、外側連結突起１４ａのＸ方向の配置間隔よりも狭く設定されている。
【００４４】
第１の連結部１３では、外側連結突起１３ａがＹ１側の側壁部１２ｃに近い位置に形成され、内側連結突起１３ｂが外側連結突起１３ａよりも中央側に形成されている。第２の連結部１４においても、外側連結突起１４ａが側壁部１２ｄに近い側に形成され、内側連結突起１４ｂが外側連結突起１４ａよりも中央側に形成されている。
【００４５】
図４に示すように、キートップ１１のリンク連結面１１ｂの中央部に、スイッチ押圧部である押圧突起１６が下向きに一体に形成されている。第１の連結部１３と第２の連結部１４は、押圧突起１６を挟んで縦方向（Ｙ方向）の両側に位置しており、押圧突起１６と第１の連結部１３とのＹ方向の距離と、押圧突起１６と第２の連結部１４とのＹ方向の距離とが等距離となっている。
【００４６】
図２と図４に示すように、Ｘ方向に向く側壁部１２ａと側壁部１２ｂには、押圧突起１６よりもＹ２側に、それぞれ凹部（切欠き部）１５ａが形成されている。側壁部１２ａとＹ１方向に向く側壁部１２ｄとの角部、ならびに側壁部１２ｂと側壁部１２ｄとの角部には、それぞれ凹部（切欠き部）１５ｂが形成されている。
【００４７】
図４に示すように、キートップ１１には、側壁部１２ｃからＹ１方向へ突出する第１の支点突部１７が一体に形成され、側壁部１２ｄからＹ２方向へ突出する第２の支点突部１８が一体に形成されている。図２と図５に示すように、第１の支点突部１７と第２の支点突部１８は、操作面１１ａよりも下側（Ｚ２側）に位置している。図４に示すように、第１の支点突部１７のＸ方向の幅寸法はＷ１であり、第２の支点突部１８のＸ方向の幅寸法はＷ２である。
【００４８】
支持基板２上において、キートップ１１は第１のリンクバー２１と第２のリンクバー２２とから成る支持機構によって昇降自在に支持されている。第１のリンクバー２１と第２のリンクバー２２は全く同じものであり、金属の線材を折り曲げて製造されている。
【００４９】
図２に示すように、第１のリンクバー２１は、連結軸部２１ａと、その両側の支持軸部２１ｂ，２１ｂを有している。連結軸部２１ａの両端部には、直角に折り曲げられた折曲げ部２１ｃ，２１ｃが形成されており、支持軸部２１ｂ，２１ｂは折曲げ部２１ｃ，２１ｃからさらに左右外側に向けて直角に折り曲げられて形成されている。連結軸部２１ａの中心線は連結中心線Ｌ１であり、左右の支持軸部２１ｂ，２１ｂの中心を共通して通過する中心線は支持中心線Ｌ２である。連結中心線Ｌ１と支持中心線Ｌ２は、互いに平行である。
【００５０】
第２のリンクバー２２も、連結軸部２２ａと支持軸部２２ｂ，２２ｂと、折曲げ部２２ｃ，２２ｃを有している。連結軸部２２ａの中心線は連結中心線Ｌ３であり、支持軸部２２ｂ，２２ｂの中心線は支持中心線Ｌ４である。
【００５１】
図４には、裏面を上に向けられたカバー６の第１の開口部７に、キートップ１１が装置の下側から（図では上側から）装着された状態が示されている。
【００５２】
第１のリンクバー２１の連結軸部２１ａは、キートップ１１のリンク連結面１１ｂに形成された第１の連結部１３を構成する外側連結突起１３ａ，１３ａと、内側連結突起１３ｂ，１３ｂとの間に挟み込まれる。図５に示すように、外側連結突起１３ａには、内側連結突部１３ｂとの対向側に支持凹部１３ｃが形成されている。連結軸部２１ａが、外側連結突起１３ａと内側連結突起１３ｂとの間に差し込まれると、連結軸部が支持凹部１３ｃに嵌合し、容易には離脱できない状態で回動自在に支持される。同様に、第２の連結部１４を構成する外側連結突起１４ａに支持凹部１４ｃが形成されており、第２のリンクバー２２の連結軸部２２ａが、第２の連結部１４を構成する外側連結突起１４ａ，１４ａと、内側連結突起１４ｂ，１４ｂとの間に、容易には離脱しない状態で回動自在に支持される。
【００５３】
図４に示すように、第１のリンクバー２１がキートップ１１に装着されると、左右の折曲げ部２１ｃ，２１ｃが側壁部１２ａ，１２ｂと側壁部１２ｃとの角部に形成された凹部（切欠き部）１５ｂ，１５ｂを通過し、支持軸部２１ｂ，２１ｂがキートップ１１の外側に延び出る。第１のリンクバー２１の支持軸部２１ｂ，２１ｂは、側壁部１２ｃよりもＹ１側へ延び出て、且つ左右の側壁部１２ａ，１２ｂの外面よりもＸ１側とＸ２側の両外側へ突出する。
【００５４】
第２のリンクバー２２がキートップ１１に装着されると、左右の折曲げ部２２ｃ，２２ｃがキートップ１１の左右の側壁部１２ａ，１２ｂに形成された凹部（切欠き部）１５ａ，１５ａを通過し、支持軸部２２ｂ，２２ｂが左右の側壁部１２ａ，１２ｂの外面よりも左右両外側へ突出する。
【００５５】
図４に示すように、カバー６の下面では、第１の開口部７よりもＹ１側に第１の軸受け部として第１の軸受け溝６ａ，６ａが形成されている。第１の軸受け溝６ａ，６ａは第１の開口部７の左右の側壁部よりもさらに左右両側へ延びている。また、第１の開口部７の左右両側に第２の軸受け部として第２の軸受け溝６ｂ，６ｂが形成されている。
【００５６】
図４に示すように、第１のリンクバー２１と第２のリンクバー２２とが連結されたキートップ１１が、カバー６の第１の開口部７に装着されると、第１のリンクバー２１の支持軸部２１ｂ，２１ｂが第１の軸受け溝６ａ，６ａの内部に挿入され、第２のリンクバー２２の支持軸部２２ｂ，２２ｂが第２の軸受け溝６ｂ，６ｂの内部に挿入される。
【００５７】
図５に示すように、支持基板２とスイッチシート３とカバー６とが組み合わされると、第１のリンクバー２１の支持軸部２１ｂ，２１ｂが、スイッチシート３の表面と前記第１の軸受け溝６ａ，６ａとの間に挟まれて回動自在に支持される。また、第２のリンクバー２２の支持軸部２２ｂ，２２ｂが、スイッチシート３の表面と第２の軸受け溝６ｂ，６ｂとの間に挟まれて回動自在に支持される。
【００５８】
図４に示すように、カバー６の下面には、第１の開口部７からＹ１側へ連続して延びる第１の受け凹部２５が形成されている。第１の受け凹部２５は、カバー６の下面から上方（Ｚ１方向）へ窪むように形成されている。第１の受け凹部２５は、第１の開口部７の横方向（Ｘ方向）の開口幅の中心に位置している。図２と図５に示すように、第１の受け凹部２５の底面は第１の支点受け部２５ａとなっている。図４に示すように、第１の受け凹部２５の左右両側には、互いに平行に対面して下方（Ｚ２方向）延びる一対の支点規制部２５ｂ，２５ｂが形成されている。
【００５９】
図４に示すように、カバー６の下面には、第１の開口部７からＹ２側へ連続して延びる第２の受け凹部２６が形成されている。第２の受け凹部２６も、カバー６の下面から上方（Ｚ１方向）へ窪むように形成されている。第２の受け凹部２６は、第１の開口部７の横方向（Ｘ方向）の開口幅の中心に位置している。図５に示すように、第２の受け凹部２６の底面は第２の支点受け部２６ａとなっており、左右両側には、互いに平行に対面して下方（Ｚ２方向）延びる一対の支点規制部２６ｂ，２６ｂが形成されている。
【００６０】
図４に示すように、第１の開口部７にキートップ１１が装着されると、第１の支点突部１７が第１の受け凹部２５の内部に位置し、第２の支点突部１８が第２の受け凹部２６の内部に位置する。
【００６１】
図５に示すように、キーボード装置１が組み立てられた状態では、キートップ１１のリンク連結面１１ｂの中央部から突出する押圧突起１６がドーム状板ばね５の中央部に当たり、押圧突部１６には常に上向きの付勢力が与えられている。そのため、キートップ１１から縦方向へ突出する第１の支点突部１７が第１の支点受け部２５ａに押し付けられ、第２の支点突部１８が第２の支点受け部２６ａに押し付けられている。このとき、キートップ１１の操作面１１ａは、カバー６の表面よりも上方に位置している。
【００６２】
図４に示すように、第１の支点突部１７は、第１の受け凹部２５に形成された支点規制部２５ｂ，２５ｂで挟まれる。支点規制部２５ｂ，２５ｂのＸ方向の間隔は、第１の支点突部１７の幅寸法Ｗ１とほぼ一致しており、第１の支点突部１７は横方向（Ｘ方向）へ動かないように規制される。同様に、第２の支点突部１８は第２の受け凹部２６の支点規制部２６ｂ，２６ｂに挟まれる。支点規制部２６ｂ，２６ｂのＸ方向の幅寸法は、第２の支点突部１８の幅寸法Ｗ２とほぼ一致しており、第２の支点突部１８も横方向へ動かないように規制される。
【００６３】
図４に示すように、支点規制部２５ｂ，２５ｂと支点規制部２６ｂ，２６ｂは、カバー６の下面よりも下方へ延び出ている。そのため、図６と図７に示すように、キートップ１１が下方向（Ｚ２方向）へ押し下げられても、第１の支点突部１７は、支点規制部２５ｂ，２５ｂの間に挟まれたままであり、第２の支点突部１８も、支点規制部２６ｂ，２６ｂの間に挟まれたままである。よって、キートップ１１が押し下げられた状態でも、横方向（Ｘ方向）へがたつきを生じることなく保持される。
【００６４】
図２と図３には、支持基板２とスイッチシート３とが重ねられた状態が示されている。スイッチシート３には、第１の開口部３１と第２の開口部３２が形成されている。第１の開口部３１と第２の開口部３２はスイッチシート３を上下に貫通して形成されており、両開口部３１，３２の下側に支持基板２の上面が現れている。第１の開口部３１は、第１のリンクバー２１の連結軸部２１ａとその両側の折曲げ部２１ｃ，２１ｃに対向する形状に開口しており、第２の開口部３２は、第２のリンクバー２２の連結軸部２２ａとその両側の折曲げ部２２ｃ，２２ｃに対向する形状に開口している。
【００６５】
第１の開口部３１内では、支持基板２に一対の逃げ穴３３，３３が上下に貫通して形成され、第２の開口部３２内では、支持基板２に一対の逃げ穴３４，３４が上下に貫通して形成されている。逃げ穴３３，３３は、キートップ１１の下面に設けられた第１の連結部１３の外側連結突起１３ａ，１３ａと対向する位置に開口している。逃げ穴３４，３４は、第２の連結部１４の外側連結突起１４ｂ，１４ｂと対向する位置に開口している。
【００６６】
図２と図３に示すように、第１の開口部３１の左右の中央部には、Ｙ１方向へ広がる開口拡大部３１ａが形成されており、この部分で支持基板２に逃げ穴３５が上下に貫通して形成されている。第２の開口部３２の左右の中央部には、Ｙ２方向へ広がる開口拡大部３２ａが形成されており、この部分で支持基板２に逃げ穴３６が上下に貫通して形成されている。
【００６７】
図３に示すように、逃げ穴３５は、キートップ１１に形成された第１の支点突部１７と対向する位置に開口し、逃げ穴３６は、第２の支点突部１８と対向する位置に開口している。
【００６８】
次に、第１のキースイッチ１０の動作について説明する。
図５は、第１のキースイッチ１０が操作されていない状態を示している。キートップ１１の下面から突出する押圧突起１６にドーム状板ばね５から上向きの弾性力が作用しているため、キートップ１１から突出する第１の支点突部１７が、カバー６に形成された第１の支点受け部２５ａに押し付けられ、第２の支点突部１８が、第２の支点受け部２６ａに押し付けられている。キートップ１１の操作面１１ａは、カバー６の上面とほぼ平行な状態で、上面よりも上側に位置している。
【００６９】
ドーム状板ばね５の内面中央に設けられた突部５ｂは、スイッチシート３の上面に軽く接触しまたはわずかに離れており、スイッチ入力部４では、上部シート３ｂと下部シート３ａとが離れ、接点どうしが接触していない状態である。
【００７０】
図６は、キートップ１１の縦方向（Ｙ方向）の中央部分が操作力Ｆ１で下向きに押されたときの動作を示している。図２に示すように、第１のリンクバーと第２のリンクバー２２は、同じものであり、第１のリンクバー２１における連結中心線Ｌ１と支持中心線Ｌ２との距離と、第２のリンクバー２２における連結中心線Ｌ３と支持中心線Ｌ４との距離は同じである。そして、第１のリンクバー２１の支持中心線Ｌ２は連結中心線Ｌ１に対してＹ１側に離れて位置し、第２のリンクバー２２の支持中心線Ｌ４も連結中心線Ｌ３に対して同じくＹ１側に離れて位置している。第１のリンクバー２１の支持軸部２１ｂと第２のリンクバー２２の支持軸部２２ｂは、同じスイッチシート３の表面に支持されており、第１のリンクバー２１の支持中心線Ｌ２と第２のリンクバー２２の支持中心線Ｌ４は同じ高さ位置にある。
【００７１】
そのため、理論上は、２つのリンクバー２１，２２とキートップ１１とがいわゆる平行リンクを構成し、キートップ１１は水平姿勢を保ったまま下降することができる。キートップ１１は全体が一緒に下がるように動作するため、キートップ１１の押圧突起１６が安定した姿勢で、ドーム状板ばね５の中央部を押し下げられる。
【００７２】
図６に示すように、キートップ１１が下降するときには、ドーム状板ばね５から押圧突起１６に上向きの反力Ｆｃが作用する。この反力Ｆｃの作用点は、第１のリンクバー２１とキートップ１１とを連結している連結中心線Ｌ１と、第２のリンクバー２２とキートップ１１とを連結している連結中心線Ｌ３との中間に位置している。そのため、反力Ｆｃによってキートップ１１を傾かせようとする大きな力が作用することがなく、キートップ１１は水平姿勢を保ったまま下降しやすくなる。特に、図６に示すように、反力Ｆｃの作用点から第１のリンクバー２１の連結中心線Ｌ１までのＹ方向の距離Ｌ０と、反力Ｆｃの作用点から第２のリンクバー２２の連結中心線Ｌ３までのＹ方向の距離Ｌ０が等距離であると、キートップ１１の下降姿勢をさらに安定させることができる。
【００７３】
キートップ１１が安定した姿勢で下降するため、押圧突起１６でドーム状板ばね５の中央部を確実に押し下げることができ、ドーム状板ばね５に設けられた突部５ｂでスイッチシート３のスイッチ入力部４を確実に押しつぶして接点どうしを接触させることができる。
【００７４】
図６に示すように、キートップ１１が下降するときに、第１のリンクバー２１の連結中心線Ｌ１が支持中心線Ｌ２を中心とする円弧軌跡α１に沿って下降し、第２のリンクバー２２の連結中心線Ｌ３が支持中心線Ｌ４を支点とする円弧軌跡α２に沿って下降する。よって、連結中心線Ｌ１，Ｌ３はＺ２方向へ移動するとともに、Ｙ２方向へも移動する。しかし、図５から図６の状態に移行する間のキートップ１１の下降距離は短く、０．３〜０．７ｍｍ程度であり、実施の形態では約０．４ｍｍである。一方、リンクバー２１の連結中心線Ｌ１から支持中心線Ｌ２までの距離ならびにリンクバー２２の連結中心線Ｌ３から支持中心線Ｌ４までの距離は、前記下降距離よりもはるかに長く、下降距離の１０倍以上である。したがって、指でキートップ１１を押し下げる操作の際に、Ｙ２方向への移動成分がほとんど感じられない。
【００７５】
むしろ、連結中心線Ｌ１が円弧軌跡α１で下降し、連結中心線Ｌ３が円弧軌跡α２で下降するため、直線的に下降する動作に比べて、操作面１１ａを押す指にやや長めの移動を感じさせることができ、操作感触が良好になる。
【００７６】
図７は、キートップ１１の操作面１１ａのＹ２側の端部が押されたときの動作を示している。図７では、下向きの操作力Ｆ２が、第２のリンクバー２２の連結中心線Ｌ３付近に作用している。
【００７７】
前述のとおり、キートップ１１と２つのリンクバー２１，２２でいわゆる平行リンクが構成されているため、理論上はキートップ１１が常に水平姿勢を保って下降するはずである。しかし、実際のキースイッチ１０では、第１のリンクバー２１の支持軸部２１ｂと第１の軸受け溝６ａとの嵌合部、ならびに第２のリンクバー２２の支持軸部２２ｂと第２の軸受け溝６ｂとの嵌合部にわずかな隙間が形成されるのを避けることができない。また、リンクバー２１，２２の連結軸部２１ａ，２２ａとキートップ１１との連結部にも隙間が形成されることがある。しかも、リンクバー２１の連結中心線Ｌ１から支持中心線Ｌ２までの距離ならびにリンクバー２２の連結中心線Ｌ３から支持中心線Ｌ４までの距離に対し、キートップ１１の下降距離がわずかである。よって、図７に示すように、キートップ１１のＹ２側の端部に操作力Ｆ２が与えられたときに、キートップ１１が傾いた姿勢で下降しやすくなる。
【００７８】
しかし、図７に示すように、キートップ１１に傾きが生じたときに、キートップ１１からＹ１側へ突出する第１の支点突部１７が、カバー６に形成された第１の支点受け部２５ａに当たる。そのため、キートップ１１のＹ１側の端部がＺ１方向へ持ち上がろうとする動作を規制することができ、キートップ１１は、第１の支点突部１７と第１の支点受け部２５ａとの当接点を動作支点として図７に示すように反時計方向へ傾くようになる。
【００７９】
図２に示すように、スイッチシート３には第１の開口部３１と第２の開口部３２が形成され、開口部３１，３２の内部に現れている支持基板２に逃げ穴３３，３４，３５が形成されている。図７の動作では、第２のリンクバー２２の連結軸部２２ａとその両側の折曲げ部２２ｃ，２２ｃが第２の開口部３２の内部に入り込み、第２の連結部１４を構成している外側連結突起１４ａ，１４ａが、第２の開口部３２と逃げ穴３４，３４の中に入り込むことができる。また、第２の支点突部１８は、第２の開口部３２の開口拡大部３２ａと逃げ穴３６の内部に入り込むことができる。
【００８０】
そのため、図７に示すように、第２のリンクバー２２では、連結軸部２２ａの中心である連結中心線Ｌ３が、支持軸部２１ｂの中心である支持中心線Ｌ４よりも下方向（Ｚ２方向）へδだけ下がるまで、キートップ１１を下方向へ押し下げることが可能である。操作力Ｆ２によって、キートップ１１のＹ２側の端部を下方向へ大きく押し下げることができるため、押圧突部１６でドーム状板ばね５を反転させて、スイッチ入力部４の接点どうしを確実に接触させることができる。
【００８１】
なお、キートップ１１の操作面１１ａのＹ１側の端部が押されたときには、キートップ１１は、第２の支点突部１８と第２の支点受け部２６ａとの当接部を支点として、図７とは逆の時計回りに傾斜するように動作でき、このときも、スイッチ入力部４の接点どうしを確実に接触させることができる。
【００８２】
図６に示すように、キートップ１１の中央部に操作力Ｆ１を与えて、キートップ１１を水平姿勢で下降させるときも、第１のリンクバー２１をスイッチシート３の第１の開口部３１に入り込ませ、第２のリンクバー２２をスイッチシート３の第２の開口部３２に入り込ませることができる。また、第１の連結部１３の外側連結突起１３ａを逃げ穴３３に入り込ませ、第２の連結部１４の外側連結突起１４ａを逃げ穴３４に入り込ませることができる。さらに、第１の支点突部１７を逃げ穴３５内に入り込ませ、第２の支点突部１８を逃げ穴３６内に入り込ませることができる。
【００８３】
したがって、キートップ１１を図６よりもさらに下まで下降させ、第１のリンクバー２１の連結中心線Ｌ１を支持中心線Ｌ２よりも下側まで移動させ、第２のリンクバー２２の連結中心線Ｌ３を支持中心線Ｌ４よりも下側まで移動させることもできる。このような動作を可能とすることで、薄型でありながらキートップ１１の動作ストロークを長く確保して操作感触の良好なキースイッチ１０を構成することができる。
【００８４】
第１のキースイッチ１０では、図３と図４に示すように、第１のリンクバー２１の支持軸部２１ｂ，２１ｂが、キートップ１１を平面で投影した領域の外側に延び出ており、この外側において軸受け溝６ａ，６ａで回動自在に支持されている。第２のリンクバー２２の支持軸部２２ｂ，２２ｂもキートップ１１を平面で投影した領域よりも左右両外側に延び出ており、この外側において軸受け溝６ｂ，６ｂで回動自在に支持されている。そして、図４に示すように、キートップ１１の側壁部１２ａ，１２ｂ，１２ｃには、第１のリンクバー２１を外側へ通過させる凹部（切欠き部）１５ｂ，１５ｂが形成され、側壁部１２ａ，１２ｂには、第２のリンクバー２２を外側へ通過させる凹部（切欠き部）１５ａ，１５ａが形成されている。
【００８５】
そのため、図６と図７に示すように、キートップ１１が押し下げられたときに、リンクバー２１，２２の回動支点となる支持軸部２１ｂ，２２ｂがキートップ１１と干渉することがない。この構造により、キースイッチ１０を薄型に構成できるようになり、しかもキートップ１１を下向きに比較的長いストロークで移動させることが可能になる。
【００８６】
なお、前述のように、第１のリンクバー２１の連結中心線Ｌ１が支持中心線Ｌ２よりも下側まで下降し、第２のリンクバー２２の連結中心線Ｌ３が支持中心線Ｌ４よりも下側まで下降するように、キートップ１１を長いストロークで押し下げることができるようにするためには、図４において、キートップ１１のリンク連結面１１ｂの前記折曲げ部２１ｃ，２１ｃ，２２ｃ，２２ｃと対向する部分にも、凹部を形成しておくことが好ましい。
【００８７】
図４に示すように、第１のリンクバー２１の連結軸部２１ａはＸ方向に延びて、連結軸部２１ａが外側連結突起１３ａ，１３ａと内側連結突起１３ｂ，１３ｂによって複数箇所で連結されている。同様に、第２のリンクバー２２の連結軸部２２ａはＸ方向に延びて、連結軸部２２ａが外側連結突起１３ａ，１３ａと内側連結突起１３ｂ，１３ｂによって複数箇所で連結されている。さらに、外側連結突起１３ａ，１３ａのＸ方向の間隔と、外側連結突起１４ａ，１４ａのＸ方向の間隔が、キートップ１１のＸ方向の幅寸法とほぼ一致している。
【００８８】
そのため、図６に示す操作力Ｆ１や図７に示す操作力Ｆ２をＸ方向のどの位置で作用させても、キートップ１１の下降動作が同様となり、操作面１１ａのどの位置を押したとしても、指で感じる操作感触を均一にできる。このような動作を実現するためには、外側連結突起１３ａ，１３ａのＸ方向の間隔と、外側連結突起１４ａ，１４ａのＸ方向の間隔が、キートップ１１のＸ方向の幅寸法の５０％以上が好ましく、さらには８０％以上であることが好ましい。
【００８９】
図８に、第２のキースイッチ４０の構造が示されている。図８は図３と同様の平面図である。第２のキースイッチ４０の支持構造は、基本的には第１のキースイッチ１０と同じである。
【００９０】
第２のキースイッチ４０は、Ｘ方向に長辺が延びる長方形のキートップ４１を有している。キートップ４１には、Ｙ１側の３か所に第１の支点突部４７が一体に形成され、Ｙ２側の３か所に第２の支点突部４８が一体に形成されている。キートップ４１の下面には、Ｘ方向の中心でＹ方向の中心に押圧突部４６が形成され、押圧突部４６でドーム状板ばね５が押し下げられる。
【００９１】
第１のリンクバー２１は２個設けられ、押圧突部４６を挟んで左右両側に、同じ距離を空けて配置されている。それぞれの第１のリンクバー２１は、連絡軸部２１ａがキートップ４１の下面に回動自在に連結され、支持軸部２１ｂが、キートップ４１の投影領域よりもＹ１側の外側で回転時に支持されている。
【００９２】
第２のリンクバー２２は１個のみ設けられ、連結軸部２２ａのＸ方向の長さがキートップ４１のＸ方向の幅寸法とほぼ一致している。支持軸部２２ｂ，２２ｂは、キートップ４１の投影領域よりも左右両側の外側へ突出して、回動自在に支持されている。
【００９３】
第２のキースイッチ４０では、第２のリンクバー２２の連結軸部２２ａがＸ方向に長く延びて、キートップ４１に回動自在に連結され、支持軸部２２ｂ，２２ｂがキートップ４１の左右両外側で支持されている。キートップ４１が１本の第２のリンクバー２２で支持されているため、キートップ４１の横方向のどの位置を押圧操作しても、キートップ４１を安定した姿勢で下降させることができる。
【００９４】
なお、前記実施の形態では、図３に示すように、第１のリンクバー２１の支持軸部２１ｂ，２１ｂと第２のリンクバー２２の支持軸部２２ｂ，２２ｂの双方が、キートップの投影領域よりも左右両外側に向けて延び出ているが、第１のリンクバー２１の支持軸部２１ｂ，２１ｂは、投影領域よりもＹ１方向の外側に位置しているので、この支持軸部２１ｂ，２１ｂが、図３とは逆に、左右内側に向けて折り曲げられていてもよい。
【００９５】
ただし、第２のリンクバー２２の支持軸部２２ｂ，２２ｂは、キートップの投影領域の縦方向（Ｙ方向）の範囲内において投影領域の側辺と交差して左右外側へ向けて延び出ていることが必要である。このように構成することで、キートップ１１が下降するときに、支持軸部２２ｂ，２２ｂと干渉しないように構成できる。
【００９６】
また、本発明では、第１のリンクバー２１の支持軸部２１ｂ，２１ｂと、第２のリンクバー２２の支持軸部２２ｂ，２２ｂの双方が、キートップの投影領域の縦方向（Ｙ方向）の範囲内で、投影領域よりも左右外側へ延び出ていてもよい。
【００９７】
以下、他の実施の形態について説明する。以下において、前記実施の形態と同じ構造部分または実質的に同じ構造部分については、前記実施の形態と同じ符号を付して詳細な説明は省略する。
【００９８】
図９ないし図１１には、本発明の第２の実施の形態の第１のキースイッチ１０１が示されている。
【００９９】
図３に示した第１のキースイッチ１０では、第１のリンクバー２１の支持中心線Ｌ２が連結中心線Ｌ１に対してＹ１側に離れた位置にあり、第２のリンクバー２２でも、支持中心線Ｌ４が連結中心線Ｌ３に対して同じくＹ１側に離れた位置にある。
【０１００】
これに対し、図９ないし図１１に示す第１のキースイッチ１０１では、第１のリンクバー２１の支持中心線Ｌ２が連結中心線Ｌ１に対してＹ１側に離れて位置しており、第２のリンクバー２２では、支持中心線Ｌ４が連結中心線Ｌ３に対してＹ２側に離れて位置している。すなわち、第１のリンクバー２１の支持中心線Ｌ２と第２のリンクバー２２の支持中心線Ｌ４は，それぞれの連結中心線Ｌ１，Ｌ３に対して、縦方向へ互いに異なる向きに離れて配置されている。
【０１０１】
図９ないし図１１に示すように、カバー６には、第１の開口部７のＹ１側に第１の軸受け溝６ａ，６ａが形成されており、第１のリンクバー２１の支持軸部２１ｂ，２１ｂが第１の軸受け溝６ａ，６ａに回動自在に支持されている。カバー６には、第１の開口部７のＹ２側に第３の軸受け溝６ｃ，６ｃが形成されており、第２のリンクバー２２の支持軸部２２ｂ，２２ｂが第３の軸受け溝６ｃ，６ｃに回動自在に支持されている。
【０１０２】
図９に示すように、第１の軸受け溝６ａの縦方向の開口幅寸法は、支持軸部２１ｂの直径ｄとほぼ一致しており、支持軸部２１ｂは第１の軸受け溝６ａにおいてＹ方向は動くことなく回動自在に支持されている。第３の軸受け溝６ｃのＹ方向の開口幅Ｄは、支持軸部２１ｂの直径ｄよりもＹ方向へ広く形成されている。なお、第３の軸受け溝６ｃのＺ方向の深さ寸法は、前記直径ｄとほぼ同じである。よって、第２のリンクバー２２の支持軸部２２ｂ，２２ｂは、第３の軸受け溝６ｃ内において、Ｙ方向へ移動自在で且つ回動自在に支持されている。
【０１０３】
第２の実施の形態の第１のキースイッチ１０１では、キートップ１１の操作面１１ａのいずれかの箇所が押されたときに、キートップ１１が傾いた姿勢で動作する。
【０１０４】
図１１には、操作面１１ａに対し中心部よりもＹ２側で下向きの操作力Ｆ２が作用した動作状態が示されている。キートップ１１に操作力Ｆ２が作用すると、キートップ１１からＹ１側へ突出する第１の支点突部１７が、カバー６に形成された第１の支点受け部２５ａに当たり、キートップ１１が、第１の支点突部１７と第１の支点受け部２５ａとの当接点を動作支点として反時計方向へ傾く。逆に、操作面１１ａに対して中心よりもＹ１側に下向きの操作力が与えられると、キートップ１１は、第２の支点突起１８と第２の支点受け部２６ａとの当接点を動作支点として時計方向へ傾く。
【０１０５】
キートップ１１が、反時計方向または時計方向へ傾くと、キートップ１１に形成された押圧突部１６でドーム状板ばね５が下向きに押され、ドーム状板ばね５が反転して、スイッチシート３に形成されたスイッチ入力部４の接点どうしが接触する。
【０１０６】
第２の実施の形態においても、キートップ１１が反時計方向へ回動するときに、第２のリンクバー２２の連結軸部２２ａの中心である連結中心線Ｌ３が、支持軸部２１ｂの中心である支持中心線Ｌ４よりも下方向へ移動でき、時計方向へ回動するときにも、第１のリンクバー２１の連結中心線Ｌ１が支持中心線Ｌ２よりも下側へ移動することができる。したがって、キートップ１１の操作面１１ａのどの位置が押されたとしても、キートップ１１を下方向へ大きく押し下げることができ、押圧突部１６でドーム状板ばね５を反転させて、スイッチ入力部４の接点どうしを確実に接触させることができる。
【０１０７】
よって、第１のキースイッチ１０１は、全体を薄型に構成でき、押圧時の操作感触も良好で、しかもスイッチ入力部４を確実に動作させることが可能になる。
【０１０８】
図１２は、本発明の第３の実施の形態による第１のキースイッチ１０１Ａを示している。
【０１０９】
この第１のキースイッチ１０１Ａは、第１のリンクバー２１において、支持中心線Ｌ２が連結中心線Ｌ１よりもＹ２側に位置しており、第２のリンクバー２２においては、支持中心線Ｌ４が連結中心線Ｌ３よりもＹ１側に位置している。すなわち、第１のリンクバー２１の支持中心線Ｌ２と第２のリンクバー２２の支持中心線Ｌ４は、共に連結中心線Ｌ１，Ｌ３よりもＹ方向において互いに接近する側に位置している。
【０１１０】
図１２に示す第１のキースイッチ１０１Ａにおいても、第１の軸受け溝６ａの縦方向（Ｙ方向）の幅寸法が、第１のリンクバー２１の支持軸部２１ｂの直径ｄとほぼ一致しているが、第３の軸受け溝６ｃのＹ方向の幅寸法Ｄは、第２のリンクバー２２の支持軸部２２ｂの直径寸法ｄよりも広く形成されている。
【０１１１】
第１のキースイッチ１０１Ａは、図１１に示した前記第１のキースイッチ１０１と同様に、キートップ１１の操作面１１ａのいずれかの箇所が下向きに押されると、キートップ１１が、第１の支点突部１７と第１の支点受け部２５ａとの当接点を動作支点として傾き、または、第２の支点突起１８と第２の支点受け部２６ａとの当接点を動作支点として傾く。
【０１１２】
この場合も、キートップ１１が下降したときに、第２のリンクバー２２の連結軸部２２ａの中心である連結中心線Ｌ３が、支持軸部２１ｂの中心である支持中心線Ｌ４よりも下方向へ移動でき、または、第１のリンクバー２１の連結中心線Ｌ１が支持中心線Ｌ２よりも下側へ移動することができ、軽い操作力によって押圧突部１６でドーム状板ばね５を反転させて、スイッチ入力部４の接点どうしを確実に接触させることができる。
【０１１３】
図１２に示す実施形態では、例えば、キートップ１１の操作面に対して、図１１においてＦ２で示す操作力で押圧したときに、キートップ１１の動作支点である第１の支点突部１７と第１の支点受け部２５ａとの当接点と、第２のリンクバー２２の動作支点である支持中心線Ｌ４が、共に操作力Ｆ２の作用位置よりもＹ１側となるため、キートップ１１を押圧したときの操作感触が良好になる。
【０１１４】
また、第１のリンクバー２１の支持軸部２１ｂ，２１ｂと第２のリンクバー２２の支持軸部２２ｂ，２２ｂが、キートップ１１のＹ１側の側壁部１２ｃとＹ２側の側壁部１２ｄとの間に位置しているので、キートップ１１から縦方向（Ｙ方向）へ突出する部材がなくなり、第１のキースイッチ１０１Ａをコンパクトに構成できるようになる。
【０１１５】
図９ないし図１２に示す実施の形態では、キートップ１１が下向きに押されたときに、第２のリンクバー２２の支持軸部２２ｂ，２２ｂが第３の軸受け溝６ｃ，６ｃ内でＹ方向へ移動することで、２つのリンクバー２１，２２が倒れることができ、キートップ１１が下降することが可能となっている。
【０１１６】
ただし、本発明では、第１のリンクバー２１の支持軸部２１ｂ，２１ｂが、Ｙ方向へ移動できるように第１の軸受け溝６ｂに支持されていてもよいし、第１のリンクバー２１の支持軸部２１ｂ，２１ｂと第２のリンクバー２２の支持軸部２２ｂ，２２ｂの双方がＹ方向へ移動できるように支持されていてもよい。
【０１１７】
また、第１のリンクバー２１の連結軸部２１ａと、第２のリンクバー２２の連結軸部２２ａの少なくとも一方が、キートップ１１に対してＹ方向へ移動自在で且つ回動自在に支持されていてもよい。この場合には、第１のリンクバー２１の支持軸部２１ｂ，２１ｂと第２のリンクバー２２の支持軸部２２ｂ，２２ｂは、Ｙ方向へ移動することなく軸受け溝に回動自在に支持されていればよい。
【０１１８】
図１３は、本発明の第２の実施の形態の第２のキースイッチ１４０を示している。この第２のキースイッチ１４０では、第１のリンクバー２１の支持中心線Ｌ２が連結中心線Ｌ１よりもＹ１側に位置し、第２のリンクバー２２でも、支持中心線Ｌ４が連結中心線Ｌ３よりもＹ２側に位置している。この第２のキースイッチ１４０は、図９に示した第１のキースイッチ１０１とほぼ同じ動作を行う。
【符号の説明】
【０１１９】
１  キーボード装置
２  支持基板
３  スイッチシート
４  スイッチ入力部
５  ドーム状板ばね
６  カバー
６ａ  第１の軸受け溝
６ｂ  第２の軸受け溝
６ｃ  第３の軸受け溝
７  第１の開口部
８  第２の開口部
１０，１１０，１１０Ａ  第１のキースイッチ
１１  キートップ
１１ａ  操作面
１３  第１の連結部
１３ａ  外側連結突起
１３ｂ  内側連結突起
１４  第２の連結部
１４ａ  外側連結突起
１４ｂ  内側連結突起
１６  押圧突起
１７  第１の支点突部
１８  第２の支点突部
２１  第１のリンクバー
２１ａ  連結軸部
２１ｂ  支持軸
２１ｃ  折曲げ部
２２  第２のリンクバー
２２ａ  連結軸部
２２ｂ  支持軸
２２ｃ  折曲げ部
２５  第１の受け凹部
２５ａ  第１の支点受け部
２５ｂ  支点規制部
２６  第２の受け凹部
２６ａ  第２の支点受け部
２６ｂ  支点規制部
３１，３２  開口部
３３，３４，３５，３６  逃げ穴
４０，１４０  第２のキースイッチ
４１  キートップ
Ｆ１  操作力
Ｆ２  操作力
Ｆｃ  反力
Ｌ１，Ｌ３  連結中心線
Ｌ２，Ｌ４  支持中心線
【図１】
2015201424.tif 000003
【図２】
2015201424.tif 000004
【図３】
2015201424.tif 000005
【図４】
2015201424.tif 000006
【図５】
2015201424.tif 000007
【図６】
2015201424.tif 000008
【図７】
2015201424.tif 000009
【図８】
2015201424.tif 000010
【図９】
2015201424.tif 000011
【図１０】
2015201424.tif 000012
【図１１】
2015201424.tif 000013
【図１２】
2015201424.tif 000014
【図１３】
2015201424.tif 000015